(57)【要約】【課題】放送局識別情報などの地域を示す情報が含まれていない信号を用いて、現在位置を判定することができる位置判定装置を提供する。【解決手段】表示切替装置１の電源の投入時に受信機３がラジオ信号の受信周波数を変化させ、受信機３によって実際に検出された受信強度サンプリングデータ（信号が受信された周波数とそのときの信号強度）と、メモリ４１に記憶された各地域ごとの受信強度パターンデータとを比較してＣＰＵ４２が自車両の現在位置を判定することにより、受信機３によって受信される信号に放送局情報などの地域情報を含む信号が多重されていない場合であっても、自車両の現在の位置を容易に検出することができ、検出した現在位置にもとづいて表示部５の表示を切り替えることができる。【選択図】図１
2007198881.tif 000002
【特許請求の範囲】
【請求項１】
所定範囲の電波を受信する受信手段と、
該受信手段が電波を受信した周波数と、該周波数における信号情報とより、受信強度サンプリングデータを作成する受信強度サンプリングデータ作成手段と、
各地域ごとに受信可能な周波数と、信号情報とを表す受信強度パターンデータが記憶されたメモリと、
前記受信強度サンプリングデータ作成手段によって作成された受信強度サンプリングデータと、前記メモリに記憶された受信強度パターンデータとを比較して、位置を判定する判定手段とを備えることを特徴とする位置判定装置。
【請求項２】
前記判定手段は、信号を受信する特徴的な周波数について、前記受信強度サンプリングデータと前記受信強度パターンデータとを比較することを特徴とする請求項１に記載の位置判定装置。
【請求項３】
前記判定手段は、周波数に対応する受信信号の強度レベルと共に比較することを特徴とする請求項２に記載の位置判定装置。
【請求項４】
前記判定手段は、信号を受信する複数の周波数の組み合わせについて、前記受信強度サンプリングデータと前記受信強度パターンデータとを比較することを特徴とする請求項１または２に記載の位置判定装置。
【請求項５】
前記判定手段は、周波数に対応する受信信号の強度レベルと共に比較することを特徴とする請求項４に記載の位置判定装置。
【請求項６】
請求項１から５のいずれか１つに記載の位置判定装置と、
表示部に表示する情報の制御を行う表示制御手段とを備え、
該表示制御手段は、前記位置判定装置によって判定された位置にもとづいて、表示言語の切り替え、または表示情報の表記方法の切り替えを行うことを特徴とする表示切替装置。
【請求項７】
受信手段が受信した電波の周波数と信号情報とより受信強度サンプリングデータを作成し、該受信強度サンプリングデータと、メモリに記憶された各地域ごとに受信可能な周波数と信号情報とを表す受信強度パターンデータと、にもとづいて、位置を判定することを特徴とする位置判定方法。
【請求項８】
請求項７に記載の位置判定方法によって判定された位置にもとづいて、表示部に表示する表示言語の切り替え、または表示情報の表記方法の切り替えを行うことを特徴とする表示切替方法。
【発明の詳細な説明】
【技術分野】
【０００１】
本発明は、受信した電波にもとづいて位置を判定する位置判定装置に関する。
【背景技術】
【０００２】
テレビジョン受信機によって受信された情報にもとづいて、現在位置を判定する装置としてたとえば特許文献１、２に記載されたものがある。
これは、放送局識別情報と文字情報とを含むテレテキスト情報が多重されたテレビジョン信号を受信し、放送局識別情報内の地域情報にもとづいて現在位置を判定するものである。
また判定結果にもとづいて、テレビ画面に表示する文字情報を切り替えるなど、システムの地域ごとの設定変更を行っていた。
【特許文献１】特開２００１−１６０９５６号公報
【特許文献２】特開２００１−２６８４６３号公報
【発明の開示】
【発明が解決しようとする課題】
【０００３】
しかしながら、このような従来の装置においては、現在位置を判定するためにはテレビジョン信号に放送局識別情報が含まれていることが前提となる。
よって、テレビジョン信号に放送局情報が含まれていない地域では、所定の周波数を有するテレビジョン信号を受信しただけでは放送局を特定をすることができないため現在位置を判定することができないといった問題があった。
【０００４】
そこで本発明はこのような問題点に鑑み、放送局識別情報などの地域を示す情報が含まれていない信号を用いて、現在位置を判定することができる位置判定装置を提供することを目的とする。
【課題を解決するための手段】
【０００５】
本発明は、受信強度サンプリングデータ作成手段が、受信手段が受信した所定範囲の周波数と、信号レベルとより受信強度サンプリングデータを作成し、判定手段が、メモリに記憶された各地域ごとに受信可能な周波数と信号レベルとを表す受信強度パターンデータと、受信強度サンプリングデータとを比較して、位置を判定するものとした。
【発明の効果】
【０００６】
本発明によれば、受信手段によって受信される信号に放送局情報などの地域情報を含む信号が多重されていない場合であっても、周波数と信号レベルとより作成した受信強度サンプリングデータと、メモリに記憶された受信強度パターンデータとを比較することによって位置を容易に検出することができる。
【発明を実施するための最良の形態】
【０００７】
次に本発明の実施の形態を実施例により説明する。
本実施例は、位置判定装置を、受信したラジオ信号にもとづいて現在の位置を判定し、自車両内に設置された表示部の表示内容（言語など）を切り替える表示切替装置に適用したものである。
図１に、実施例の全体構成を示す。
ラジオ信号をアンテナ２を通じて受信する受信機３と、受信機３によって受信されたラジオ信号より自車両の現在位置を判定するコントローラ４と、乗員に情報を提示するための表示部５とより表示切替装置１が構成される。
【０００８】
受信機３は、ラジオ信号を受信する受信部３１と、Ａ／Ｄ変換器３２とより構成される。
受信部３１は、コントローラ４から指示されたラジオ信号の受信範囲にもとづいて、ラジオ信号を受信する。
Ａ／Ｄ変換器３２は、受信部３１が受信したラジオ信号のアナログ／デジタル変換を行い、ラジオ信号を受信した周波数と、その受信強度とをコントローラ４へ出力する。（以下、車載機においてラジオ信号を受信した周波数と、そのときの受信強度レベルをデータ化したものを、受信強度サンプリングデータと呼ぶ）
【０００９】
コントローラ４は、メモリ４１とＣＰＵ４２とより構成される。
メモリ４１は、図２に示すように各地域ごとに、受信可能なラジオ信号の周波数と、その受信強度レベルとが（以下、受信可能なラジオ信号の周波数と、その受信強度レベルをパターン化したものを受信強度パターンデータと呼ぶ）があらかじめ記憶されている。
なお図２には、地域Ａ〜Ｃにおける受信強度パターンデータを例示してある。
ＣＰＵ４２は、受信機３の受信部３１に対して受信するラジオ信号の周波数の範囲を指示したり、Ａ／Ｄ変換器３２から出力された受信強度サンプリングデータとメモリ４１に記憶された受信強度パターンデータとを比較して、現在位置を判定したりする。
またＣＰＵ４２は、判定した地域をメモリ４１に記憶させ、一度地域が判定された後はメモリ４１に記憶された地域情報を表示部５へ出力する。
表示部５は、コントローラ４から出力された地域情報にもとづいて、表示する言語を切り替えたり、表示単位などの表記方法を切り替えたりする。
【００１０】
次に、受信したラジオ信号より自車両の現在地域を判定し、表示部５の表示を切り替えを行う手順について説明する。
図３に、地域判定処理の流れを示す。
表示切替装置１に電源が投入されると、ステップ１００においてＣＰＵ４２は、過去に地域判定処理が行われてメモリ４１に地域情報が記憶されているかどうかを判断する。
地域情報が記憶されていない場合にはステップ１０１へ進み、記憶されている場合にはステップ１０８へ進む。
ステップ１０１においてＣＰＵ４２は、ラジオ信号の受信周波数の範囲を受信部３１に対して指示する。
ここで、受信部３１に対して指示するラジオ信号の受信周波数の範囲を、たとえば７５〜１００ＭＨｚとする。
【００１１】
ステップ１０２において受信部３１は、ＣＰＵ４２からの指示にもとづいて受信する周波数を変化させる。
ステップ１０３においてＡ／Ｄ変換器３２は、受信部３１から出力された信号にもとづいて周波数ごとの信号強度レベルを示す受信強度サンプリングデータを作成する。
ステップ１０４においてＡ／Ｄ変換器３２は、作成した受信強度サンプリングデータをコントローラ４へ送信する。
【００１２】
ステップ１０５においてＣＰＵ４２は、Ａ／Ｄ変換器３２から送信された受信強度サンプリングデータとメモリ４１に記憶された受信強度パターンデータとの比較を行い、受信強度サンプリングデータと一致する受信強度パターンデータを検索して地域を判定する。
具体的には、Ａ／Ｄ変換器３２によって作成された受信強度サンプリングデータが図４に示す棒グラフのように、周波数が７５、７８、８５ＭＨｚの時にそれぞれ信号強度レベルが３．０、２．０、１．０であった場合、該受信強度サンプリングデータと図２に示す地域Ｃにおける周波数、信号強度レベルとが一致するため、自車両は地域Ｃに居るものと判定する。
【００１３】
次にステップ１０６においてＣＰＵ４２は、ステップ１０５で判定した地域情報をメモリ４１に記憶させ、ステップ１０７において地域情報を表示部５へ送信する。
表示部５は地域情報を受信するとステップ１０８において、受信した地域情報にもとづいて表示する言語を切り替えたり、表示単位などの表記方法を切り替えたりする。
この表示切替は、たとえば図５の（ａ）、（ｂ）、（ｃ）に示す表示画像例のように、平均燃費の文字や単位（ＦＵＥＬ  ＥＣＯＮ  ９．０ＭＰＧなど）を切り替えたり、ラジオの周波数の桁数（ＦＭ７９．５ＭＨｚなど）、エアコンの運転席側（ＤＲＩＶＥＲ）と助手席側（ＰＡＳＳ）の表示位置（右側に表示するか、左側に表示するかどうかの切り替え）の切り替えおよび単位の切り替えなどを行う。
【００１４】
ステップ１０８における表示の切り替え後、本処理を終了する。
一方ステップ１００において、電源の投入後にメモリ４１に地域情報が記憶されていると判断されると、メモリ４１に記憶された地域情報にもとづいて表示部５はステップ１０８で表示する言語を切り替えたり、表示単位を切り替えたりする。
なお本実施例において、ステップ１０２が本発明における受信手段を構成し、ステップ１０３が本発明における受信強度サンプリングデータ作成手段を構成する。またステップ１０５が本発明における判定手段を構成し、ステップ１０８が本発明における表示制御手段を構成する。
【００１５】
本実施例は以上のように構成され、表示切替装置１の電源の投入時に受信機３がラジオ信号の受信周波数を変化させ、受信機３によって実際に検出された受信強度サンプリングデータと、メモリ４１に記憶された各地域ごとの受信強度パターンデータとを比較して自車両の現在位置を判定することにより、受信機３によって受信される信号に放送局情報などの地域情報を含む信号が多重されていない場合であっても、自車両の現在の位置を容易に検出することができ、検出した現在位置にもとづいて表示部５の表示を切り替えることができる。
【００１６】
なお実施例において、受信機３によって受信された受信強度サンプリングデータと、メモリ４１に記憶された受信強度パターンデータとの比較を行う際に、両データ間において信号が受信される周波数とそのときの信号強度レベルとがすべて一致する受信強度パターンデータの地域を、自車両の現在位置として判定するものとしたが、これ以外にも、他と比較して突出して受信強度が高い受信周波数など、受信された受信強度サンプリングデータ中の特徴点を抽出し、該特徴点と一致する周波数と受信強度レベルを有する受信強度パターンデータの地域を、自車両の現在の位置として判定することもできる。
具体的には、図６の（ａ）に示すように受信機３によって受信された受信周波数が７５、８０、８５ＭＨｚであり、そのときの受信強度レベルがそれぞれ１．０、４．０、１．０である場合に、周波数８０ＭＨｚ、そのときの信号レベル４．０を特徴点として抽出し、図６の（ｂ）に示す各地域（地域Ａ１〜Ｃ１）ごとの受信強度パターンデータ（メモリ４１に記憶されている）の中から特徴点と一致する受信強度パターンデータの地域（ここでは地域Ａ１）を自車両の現在位置として判定する。
【００１７】
あるいは、受信機３によって所定の周波数で受信信号が検出されたかどうかによって地域を判定することもできる。
具体的には、図７の（ａ）に示すように受信機３によって受信された受信周波数が７５、７８、８５ＭＨｚであり、そのときの受信強度レベルがそれぞれ１．０、１．０、１．０であり、周波数７８ＭＨｚは受信可能な地域が１つしかない特徴的な周波数であった場合、図７の（ｂ）に示す各地域（Ａ２〜Ｃ２）ごとの受信強度パターンデータの中から周波数が７８ＭＨｚの信号を受信可能な地域（ここでは地域Ｂ２）を抽出して、自車両の現在位置として判定する。
【００１８】
また、図６の（ａ）、（ｂ）を用いて説明した受信強度サンプリングデータ中の特徴点を抽出して現在位置を判定する方法と、図７の（ａ）、（ｂ）を用いて説明した所定の周波数が検出されたかどうかを判断することによって現在位置を検出する方法とを組み合わせて自車両の現在の位置を検出することもできる。
なお、受信された受信強度サンプリングデータとメモリ４１に記憶された受信強度パターンデータとを比較して現在位置を判定する方法としては、上記に限定されるものではなく、他の方法によって判定してもよい。
【００１９】
また本実施例では、過去に地域判定処理が行われておらず、ステップ１００において、メモリ４１に地域情報が記憶されていないと判定された場合に地域判定処理を行うものとしたが、これに限定されず、車両の設定機能として地域判定処理を設け、既にメモリ４１に地域情報が記憶されているか否かに関わらず、操作者等の地域判定処理の開始の指示にもとづいてステップ１０１以降の処理を行うこともできる。
さらに、ラジオ信号を受信して自車両の位置を判定するものとしたが、これ以外にもたとえばテレビジョン信号などを受信して、受信された周波数と、その信号強度とを用いて自車両位置を判定することもできる。
また、本実施例では位置判定装置を車両に搭載された表示部５の表示を切り替える表示切替装置１に適用した例を示したが、位置判定装置を他の装置に適用したり、位置判定装置単独で用いたりすることもできる。
【図面の簡単な説明】
【００２０】
【図１】実施例の全体構成を示す図である。
【図２】受信強度パターンデータの例を示す図である。
【図３】地域判定処理の流れを示す図である。
【図４】受信機によって受信された周波数と信号強度レベルとを示す図である。
【図５】表示部の表示例を示す図である。
【図６】受信強度サンプリングデータと受信強度パターンデータとを示す図である。
【図７】受信強度サンプリングデータと受信強度パターンデータとを示す図である。
【符号の説明】
【００２１】
１    表示切替装置
２    アンテナ
３    受信機
４    コントローラ
５    表示部
３１    受信部
３２    Ａ／Ｄ変換器
４１    メモリ
４２    ＣＰＵ
【図１】
2007198881.tif 000003
【図２】
2007198881.tif 000004
【図３】
2007198881.tif 000005
【図４】
2007198881.tif 000006
【図５】
2007198881.tif 000007
【図６】
2007198881.tif 000008
【図７】
2007198881.tif 000009